(57)【要約】本発明は、処理部（１０）に入力される映像音声信号（ＳＡＶｉｎ）にコピー不許可の情報を持つコピー制御情報が付加されている場合に、永続記録を禁止し、より多くの状況において一時記録を行うことができるようにしたものである。本発明のデータ記録再生装置は、付加情報としてコピー不許可の情報及び永続記録モードの情報が入力された場合に、永続記録モードでの記録を行うことなく、対応する映像データを永続記録モードから一時記録モードに移行して記録するか否かを判断する手段と、この手段により一時記録モードに移行して記録すると判断された場合に、記録部（１５）への映像データの一時記録モードにおける記録を指示する手段とを有している。
2006523060.tif 000002
【特許請求の範囲】
【請求項１】
映像データと、この映像データのコピーを制御するための第１の付加情報と、前記映像データの記録又は再生の形式を制御するための第２の付加情報とを含むデータが入力され、このデータを処理する処理部を備えると共に、前記処理部は、入力された映像データを永続的に記録する永続記録モード又は一時的に記録する一時記録モードにおいて記録することが可能な記録部を有するデータ記録再生装置であって、
前記処理部は、前記第１の付加情報としてコピー不許可の情報が入力され、前記第２の付加情報として永続記録モードの情報が入力された場合に、永続記録モードでの記録を行うことなく、対応する映像データを永続記録モードから一時記録モードに移行して記録するか否かを判断する手段と、この手段により一時記録モードに移行して記録すると判断された場合に、前記記録部への前記映像データの一時記録モードにおける記録を指示する手段とを有することを特徴とするデータ記録再生装置。
【請求項２】
前記映像データは、アナログデータであることを特徴とする請求の範囲第１項記載のデータ記録再生装置。
【請求項３】
前記処理部は、記録及び再生の処理を同時に行うことが可能であり、前記永続記録モードから前記一時記録モードに移行した場合に、一時記録モードにおける記録の終了の前に前記記録部に一時的に記録された映像データの再生の開始を指示する手段と、前記一時記録モードにおける記録の終了の情報が入力された直後に前記記録部の映像データを消去する手段とを更に有することを特徴とする請求の範囲第１項又は第２項記載のデータ記録再生装置。
【請求項４】
映像データと、この映像データのコピーを制御するための第１の付加情報と、前記映像データの記録又は再生の形式を制御するための第２の付加情報とを含む入力データを処理する処理ステップを含むと共に、前記処理ステップにおいて、入力された映像データを永続的に記録する永続記録モード又は一時的に記録する一時記録モードにおいて記録することが可能であるデータ処理方法であって、
前記処理ステップは、前記第１の付加情報としてコピー不許可の情報が入力され、前記第２の付加情報として永続記録モードの情報が入力された場合に、永続記録モードでの記録を行うことなく、対応する映像データを永続記録モードから一時記録モードに移行して記録するか否かを判断するステップと、このステップにより一時記録モードに移行して記録すると判断された場合に、前記映像データの一時記録モードにおける記録を指示するステップとを含むことを特徴とするデータ処理方法。
【請求項５】
コンピュータにより動作可能であり、映像データと、この映像データのコピーを制御するための第１の付加情報と、前記映像データの記録又は再生の形式を制御するための第２の付加情報とを含むデータを処理するプログラムであって、
前記第１の付加情報としてコピー不許可の情報が入力され、前記第２の付加情報として永続記録モードの情報が入力された場合に、永続記録モードでの記録を行うことなく、対応する映像データを永続記録モードから一時記録モードに移行して記録するか否かを判断する機能と、この機能により一時記録モードに移行して記録すると判断された場合に、前記映像データの一時記録モードにおける記録を指示する機能とを有することを特徴とするプログラム。
【発明の詳細な説明】
【技術分野】
【０００１】
本発明は、映像データと、映像データのコピーを制御するための第１の付加情報と、映像データの記録又は再生の形式を制御するための第２の付加情報とを含むデータが入力され、このデータを処理する処理部を備えると共に、処理部が、入力された映像データを永続的に記録する永続記録モード又は一時的に記録する一時記録モードにおいて記録することが可能な記録部を有するデータ記録再生装置と、これに関連するデータ処理方法及びプログラムとに関する。
【背景技術】
【０００２】
近年、放送中（オンエア）のテレビ番組の視聴を一時停止したのち再開したり、放送中のテレビ番組の記録をしながら任意の時間に番組を最初から再生する所謂時間差再生の要求が高まっている。そして、ハードディスク装置などのランダムアクセス可能な記録媒体を備え、上記時間差再生が可能であるデータ記録再生装置が普及しつつある。このようなデータ記録再生装置では、通常、記録媒体に記録をする形式として、時間差再生に関するデータを一時的に記録する一時記録モードと、時間差再生以外の記録に関するデータを永続的に記録する永続記録モードとが存在する。
【０００３】
一般に、テレビ放送などの映像音声信号が上記データ記録再生装置に入力される場合、この映像音声信号には、信号の不正コピーを防止するため、マクロビジョン信号やＣＧＭＳ（Copy Generation Management System）データ等のコピー制御情報が付加されている。現在市販されているデータ記録再生装置では、映像音声入力信号にコピー許可の情報を持つコピー制御情報が付加されている場合には永続記録，一時記録を行うことができ、コピー不許可の情報を持つコピー制御情報が付加されている場合は永続記録及び一時記録の両方を行うことができないようにされている。これに対し、入力される映像音声信号にコピー不許可の情報を持つコピー制御情報が付加されている場合には、永続記録のみを禁止し、一時記録を可能とすることが強く望まれている。
【０００４】
そこで、デジタルコンテンツをデジタルのまま記録する場合に関しては、コピー不許可のコピー制御情報が付加されている映像音声信号が入力された場合であっても、「コピー不許可」という番組供給者の意図を反映し、かつテレビ番組の放送時よりも後の時刻に当該番組を視聴することができる装置が提案されている（例えば、特許文献１（国際公開ＷＯ９９／４６９３３号パンフレット）及び特許文献２（特開２００１−２４５２２３公報）参照）。
【０００５】
しかしながら、これらの公報に開示されている装置では、一時記録可能な場合が制限されてしまう等上述した要求を完全に満たすことはできないという問題があった。また、デジタルのまま記録する場合とアナログ入力信号が記録される場合とでは、付加されている情報が異なる（特願２００２−３７８２４５明細書参照）ため、処理方法が異なり、アナログ信号の処理には上記文献に提案されているような装置を適用することができないという問題もある。従って、コピー不許可の情報が付加されているアナログ映像音声信号が入力された場合に時間差再生を実現することは、依然として強く望まれている。
【発明の開示】
【発明が解決しようとする課題】
【０００６】
本発明は上述した点を考慮してなされたもので、その第１の目的は、処理部に入力される映像音声信号にコピー不許可の情報を持つコピー制御情報が付加されている場合に、永続記録を禁止し、より多くの状況において一時記録を可能とすることができるデータ記録再生装置、データ処理方法及びプログラムを提供することにある。
また、本発明の第２の目的は、処理部に入力されるアナログ映像音声信号にコピー不許可の情報が付加されている場合に、「コピー不許可」という番組供給者の意図を反映し、かつ上記時間差再生を行うことが可能なデータ記録再生装置、データ処理方法及びプログラムを提供することにある。
【課題を解決するための手段】
【０００７】
本発明のデータ記録再生装置は、映像データと、映像データのコピーを制御するための第１の付加情報と、映像データの記録又は再生の形式を制御するための第２の付加情報とを含むデータが入力され、このデータを処理する処理部を備えると共に、処理部が、入力された映像データを永続的に記録する永続記録モード又は一時的に記録する一時記録モードにおいて記録することが可能な記録部を有するデータ記録再生装置であって、処理部が、第１の付加情報としてコピー不許可の情報が入力され、第２の付加情報として永続記録モードの情報が入力された場合に、永続記録モードでの記録を行うことなく、対応する映像データを永続記録モードから一時記録モードに移行して記録するか否かを判断する手段と、この手段により一時記録モードに移行して記録すると判断された場合に、記録部への映像データの一時記録モードにおける記録を指示する手段とを有している。
【０００８】
本発明のデータ処理方法は、映像データと、映像データのコピーを制御するための第１の付加情報と、映像データの記録又は再生の形式を制御するための第２の付加情報とを含む入力データを処理する処理ステップを含むと共に、この処理ステップにおいて、入力された映像データを永続的に記録する永続記録モード又は一時的に記録する一時記録モードにおいて記録することが可能であるデータ処理方法であって、処理ステップが、第１の付加情報としてコピー不許可の情報が入力され、第２の付加情報として永続記録モードの情報が入力された場合に、永続記録モードでの記録を行うことなく、対応する映像データを永続記録モードから一時記録モードに移行して記録するか否かを判断するステップと、このステップにより一時記録モードに移行して記録すると判断された場合に、映像データの一時記録モードにおける記録を指示するステップとを含んでいる。
【０００９】
本発明のプログラムは、コンピュータにより動作可能であり、映像データと、映像データのコピーを制御するための第１の付加情報と、映像データの記録又は再生の形式を制御するための第２の付加情報を含むデータを処理するプログラムであって、第１の付加情報としてコピー不許可の情報が入力され、第２の付加情報として永続記録モードの情報が入力された場合に、永続記録モードでの記録を行うことなく、対応する映像データを永続記録モードから一時記録モードに移行して記録するか否かを判断する機能と、この機能により一時記録モードに移行して記録すると判断された場合に、映像データの一時記録モードにおける記録を指示する機能とを有している。
【００１０】
本発明のデータ記録再生装置，データ処理方法又はプログラムでは、処理部に入力される映像データにコピー不許可の情報を持つ付加情報が付加されている場合に、永続記録が行われず、かつ永続記録モードから一時記録モードに移行して一時記録が行われ得る。また、ユーザの利用の自由度が増大する。
【００１１】
本発明のデータ記録再生装置の上記処理部は、記録及び再生の処理を同時に行うことが可能であり、永続記録モードから一時記録モードに移行した場合に、一時記録モードにおける記録の終了の前に記録部に一時的に記録された映像データの再生の開始を指示する手段と、一時記録モードにおける記録の終了の情報が入力された直後に記録部の映像データを消去する手段とを更に有することが好ましい。これにより、コピー不許可の情報を持つ付加情報を伴うアナログ映像データが入力された場合であっても、記録部に一時記録されたデータがコピーされることなく、時間差再生が行われ得る。
【００１２】
本発明のその他の目的、特徴及び利益は、以下の説明によって十分明白になるであろう。
【発明を実施するための最良の形態】
【００１３】
以下、本発明の実施の形態について図面を参照して詳細に説明する。
【００１４】
まず、第１図を参照して、本発明の一実施の形態に係るデータ記録再生装置の構成について説明する。
【００１５】
本実施の形態に係るデータ記録再生装置は、アナログ映像データ，この映像データのコピーを制御するためのコピー制御情報及び映像データの記録・再生のモードを制御するための記録再生モード情報を含むデータが入力され、このデータを処理する処理部を備えている。また、映像データの記録と再生とを同時に行うことが可能であり、上記記録再生モード情報に基づいて、例えばデータを永続的に記録する永続記録モード，一時的に記録する一時記録モード及び再生モード（より詳細には、後述する直接再生モード及び読み出し再生モード）において動作可能である。このようなデータ記録再生装置としては、例えば、ＨＤＤ（hard disk drive）のようなデジタル記録が可能な記録媒体を備えたテレビ受像機が挙げられる。なお、ここでは、上記コピー制御情報として、ＣＧＭＳデータが付加されると共に必要に応じてマクロビジョン信号が付加されたアナログ（ＮＴＳＣ）映像音声信号ＳＡＶｉｎを含むデータが入力される場合について説明する。ちなみに、ＣＧＭＳデータは、データ記録再生装置が受け取った映像信号のコピーの許可，不許可を判断するために用いるものであり、マクロビジョン信号は、映像信号が正常に記録されないようにするものである。
【００１６】
第１図は、上記処理部１０の機能構成を表すブロック図である。処理部１０は、入力されたアナログ映像音声信号ＳＡＶｉｎの映像信号ＳＶｉｎをデジタル変換する映像ＡＤ変換部１１と、デジタル変換された映像データから輝度（Ｙ）信号成分と色（Ｃ）信号成分とを分離するＹ／Ｃ分離部１２と、輝度信号及び色信号を用いて色復調などの処理を行い、色差信号を生成すると共に、ＣＧＭＳデータ及びマクロビジョン信号が付加されているべき部分（以下、マクロビジョン信号付加部分という。）を抽出する映像データ処理部１３と、入力されたアナログ映像音声信号ＳＡＶｉｎの音声信号ＳＡｉｎをデジタル変換する音声ＡＤ変換部２１と、デジタル変換された音声データをフォーマット化する音声処理部２２と、映像データ処理部１３において生成された色差信号及び音声処理部２２において処理された音声データが供給されるデータリンク部１４と、上記永続記録モード又は一時記録モード時に映像データ及び音声データを記録する記録部１５とを備えている。
【００１７】
記録部１５は、一時記録モードの際、一時記録されて再生された映像データを再生直後に記録部１５から消去する再生データ消去手段と、一時記録モードの際、記録の終了前に一時記録された映像データの再生が開始されなかった場合及び記録の終了時に一時記録された映像データの再生が行われていない場合に、記録部１５の一時記録された映像データを消去する一時記録データ消去手段とを有している。なお、上記再生データ消去手段は、当該番組の再生データの再生終了直後に、一括して消去するように設けられてもよいし、再生と同時に再生されたデータを順次消去するように設けられてもよい（特願２００２−３７８２４５明細書参照）。
【００１８】
処理部１０は、また、映像データ処理部１３において抽出されたマクロビジョン信号付加部分が入力され、マクロビジョン信号の有無等を検出するマクロビジョン検出部３１と、映像データ処理部１３において抽出されたＣＧＭＳデータが入力され、このＣＧＭＳデータを解読するＣＧＭＳデコード部３２と、例えば装置の一部を構成するリモートコントローラ又は操作キーなどのユーザインタフェース４１から送られる記録再生モード情報が入力され、この記録再生モード情報を解読する記録再生モード情報デコード部３３と、ＣＧＭＳデコード部３２からのＣＧＭＳデータ及び記録再生モード情報デコード部３３からの記録再生モード情報が供給される制御部３４とを備えている。なお、制御部３４に供給されるＣＧＭＳデータは、コピーフリー，１世代のみコピー可，これ以上はコピー不可，コピー不可のいずれかを示すものである。また、制御部３４に供給される記録再生モード情報は、例えば、上記永続記録モード，上記一時記録モード，入力アナログ映像信号ＳＶｉｎが直接再生される直接再生モード及び記録部１５に記録された映像データ及び音声データを読み出して再生する読み出し再生モードのいずれかを示すものである。
【００１９】
制御部３４は、コピー制御情報としてコピー不許可（例えば、上記ＣＧＭＳデータでは「これ以上はコピー不可」又は「コピー不可」）の情報が入力され、記録再生モード情報として永続記録モードの情報が入力された場合に、永続記録モードでの記録を行うことなく、対応する入力アナログ映像信号ＳＶｉｎを永続記録モードから一時記録モードに移行して記録するか否かを判断する判断手段を有している。この判断手段は、具体的には、例えば、ユーザによる一時記録モードに移行するか否かの指示に基づいて判断するようにされている。制御部３４は、また、上記判断手段により一時記録モードに移行すると判断された場合に、当該映像データを記録部１５に一時記録モードにおいて記録するよう指示する一時記録指示手段を有している。
【００２０】
記録部１５が上述したように再生データ消去手段及び一時記録データ消去手段を有する場合、制御部３４は、例えば上述した装置の動作モード及び供給されたＣＧＭＳデータに応じて、データリンク部１４のデータの記録部１５への一時記録を開始するようデータリンク部１４に指示する一時記録開始指示手段と、一時記録が終了する前に、記録部１５に一時記録された映像データの再生の開始を指示する再生開始指示手段とを有している。この制御部３４は、更に、一時記録モードの際、再生された映像データを再生直後に記録部１５から消去するよう記録部１５に指示する再生データ消去指示手段と、一時記録モードの際、一時記録の終了の前に再生が開始されなかった場合及び一時記録の終了時に映像データの再生が行われていない場合に、記録部１５の映像データの消去を指示する一時記録データ消去指示手段とを有している。
【００２１】
処理部１０は、更に、上記色差信号から出力用の映像信号に変換する映像再生処理部１６と、生成された出力用映像信号にマクロビジョン信号の情報を付加するコピー制御データ付加部１７と、出力用映像信号をアナログ変換し、アナログ映像出力信号ＳＶｏｕｔを生成する映像ＤＡ変換部１８と、上記フォーマット化された音声データを処理する音声再生処理部２３と、この音声データをアナログ変換し、アナログ音声出力信号ＳＡｏｕｔを生成する音声ＤＡ変換部２４とを備えている。また、装置からユーザにメッセージをＯＳＤ（On Screen Display）表示する際の情報を発生させるＯＳＤ表示発生部１９を備えていることが好ましい。
【００２２】
次に、本実施の形態のデータ記録再生装置の動作について、先の第１図と第２図及び第３図とを参照して説明する。なお、以下の説明は、本実施の形態に係るデータ処理方法の説明を兼ねている。
【００２３】
ＣＧＭＳデータが付加されると共に必要に応じてマクロビジョン信号が付加されたアナログ映像音声信号ＳＡＶｉｎが入力されると、映像信号ＳＶｉｎ及び音声信号ＳＡｉｎが抽出される。抽出された音声信号ＳＡｉｎは、音声ＡＤ変換部２１においてデジタル変換され、音声処理部２２においてフォーマット化される。一方、抽出された映像信号ＳＶｉｎは、映像ＡＤ変換部１１においてデジタル変換され、Ｙ／Ｃ分離部１２において輝度信号成分と色信号成分とに分離され、映像データ処理部１３において所定の処理が施され、色差信号とされ、データリンク部１４に伝送される。また、映像データ処理部１３では、マクロビジョン信号付加部分及びＣＧＭＳデータが抽出され、マクロビジョン信号付加部分はマクロビジョン検出部３１に、ＣＧＭＳデータはＣＧＭＳデコード部３２にそれぞれ供給される。更に、これらの動作に対応して、ユーザインタフェース４１から供給される当該映像信号ＳＶｉｎの記録再生モード情報が記録再生モード情報デコード部３３に供給される。マクロビジョン検出部３１では、マクロビジョン信号が付加されているか否か等の検出が行われる。ＣＧＭＳデコード部３２及び記録再生モード情報デコード部３３では、ＣＧＭＳデータ及び記録再生モード情報の解読がそれぞれ行われ、解読されたデータ及び情報は制御部３４に供給される。
【００２４】
以上の動作は、装置が永続記録モード，一時記録モード，直接再生モード及び読み出し再生モードのいずれの動作状態にある場合においても、すなわち装置に入力される記録再生モード情報がどのような場合であっても共通の動作である。以下の動作については、上記各モードごとに説明する。
【００２５】
第２図は、制御部３４に供給された記録再生モード情報が永続記録モードを示すものであった場合における処理を示す流れ図である。記録再生モード情報デコード部３３から制御部３４に永続記録モードを示す情報が入力される（ステップＳ１０１）と、制御部３４は、入力されたＣＧＭＳデータがコピー許可の情報及びコピー不許可の情報のどちらを持っているかを判断する（ステップＳ１０２）。入力ＣＧＭＳデータがコピー許可の情報を持っている場合（ステップＳ１０２；Ｙ）には、当該入力映像信号ＳＶｉｎは永続記録可能であると判定され（ステップＳ１０３）、映像データ，音声データ及びＣＧＭＳデータをデータリンク部１４から記憶部１５に出力するようデータリンク部１４に命令が伝送される。命令が伝送されると、この命令に応答して、映像データ，音声データ及びＣＧＭＳデータがデータリンク部１４から記憶部１５に出力される（ステップＳ１０４）。
【００２６】
一方、入力ＣＧＭＳデータがコピー不許可の情報を持っている場合（ステップＳ１０２；Ｎ）には、当該入力映像信号ＳＶｉｎは永続記録不可能であると判定され（ステップＳ１０５）、この判定結果がＯＳＤ表示発生部１９に伝送されて、ＯＳＤ表示発生部１９において例えば永続記録不可能であることをユーザに知らせるＯＳＤ表示情報及び永続記録モードから一時記録モードに移行するか否かの選択をユーザに提示するＯＳＤ表示情報が発生する（ステップＳ１０６）。そののち、例えばこれらのデータに基づくメッセージが図示しないディスプレイに表示されると、ユーザは当該入力映像信号ＳＶｉｎに関する装置の動作を終了させるか、又は永続記録モードから一時記録モードに移行して映像データを記録するかを指示する情報を装置に入力する。この情報は、制御部３４（具体的には判断手段）に供給され、制御部３４は、この情報に基づいて当該入力映像信号ＳＶｉｎを永続記録モードから一時記録モードに移行して記録するか否かを判断する（ステップＳ１０７）。その結果、一時記録モードに移行しないと判断された場合（ステップＳ１０７；Ｎ）には、映像データ及び音声データをデータリンク部１４から記録部１５に出力することを禁止する命令がデータリンク部１４に伝送される（ステップＳ１０８）。また、一時記録モードに移行すると判断された場合（ステップＳ１０７；Ｙ）には、制御部３４（具体的には一時記録指示手段）は、当該入力アナログ映像信号ＳＶｉｎを記録部１５に一時記録モードにおいて記録するようデータリンク部１４に指示する（ステップＳ１０９）。そののち、後述する第３図のステップＳ２０２に進み、これ以降、ステップＳ２１０までの処理を行う。
【００２７】
第３図は、制御部３４に供給された記録再生モード情報が一時記録モードを示すものであった場合における処理を示す流れ図である。記録再生モード情報デコード部３３から制御部３４に一時記録モードを示す情報が入力される（ステップＳ２０１）と、制御部３４は、一時記録を開始する指示をデータリンク部１４に与える。これにより、データリンク部１４のデータが記録部１５に出力される（ステップＳ２０２）。
【００２８】
データリンク部１４のデータが記録部１５に出力された後、制御部３４は、情報入力待ちの状態となり、一時記録終了の情報が入力されたか否かを監視する（ステップＳ２０３）。一時記録終了の情報としては、例えば、リアルタイムの番組放送の終了情報、及びユーザによる一時記録終了の指定が挙げられる。一時記録終了の情報が入力された場合（ステップＳ２０３；Ｙ）には、制御部３４は、記録部１５のデータを消去する指示を記録部１５に与え、記録部１５は、この指示に基づいてデータを消去する（ステップＳ２０４）。このように、入力ＣＧＭＳデータがコピー許可及びコピー不許可のどちらの情報を持っているかに関わらず、一時記録の完了前にデータの再生が開始されないと、記録部１５のデータは消去される。
【００２９】
一方、一時記録終了の情報が入力されていない場合（ステップＳ２０３；Ｎ）には、データリンク部１４のデータが記録部１５に出力され続ける（ステップＳ２０２）。
【００３０】
データリンク部１４のデータが記録部１５に出力される（ステップＳ２０２）と、また、制御部３４は、ユーザにより再生開始の指定がなされたか否かを監視する（ステップＳ２０５）。再生開始の指定がなされた場合（ステップＳ２０５；Ｙ）、制御部３４は記録部１５に一時記録されたデータの再生を開始（又は再開）する指示を記録部１５に与える（ステップＳ２０６）。記録部１５は、この指示に基づいて、映像データ及びＣＧＭＳデータを映像再生処理部１６に、音声データを音声再生処理部２３にそれぞれ供給し（ステップＳ２０７）、これによりデータの再生が開始（再開）される。また、再生開始の指定がなされていない場合（ステップＳ２０５；Ｎ）は、データリンク部１４のデータが記録部１５に出力され続ける（ステップＳ２０２）。
【００３１】
記録部１５がデータを上述したように供給している状態（ステップＳ２０７）において、制御部３４は、ユーザにより再生終了の指定がなされたか否かを監視する（ステップＳ２０８）。再生終了の指定がなされた場合（ステップＳ２０８；Ｙ）には、制御部３４は、記録部１５に一時記録されたデータの再生を終了する指示を記録部１５に与え、記録部１５は、この指示に基づいて映像データ，音声データＣＧＭＳデータの供給を終了する。一方、再生終了の指定がなされていない場合（ステップＳ２０８；Ｎ）には、記録部１５において上述したようにデータが供給し続けられる（ステップＳ２０７）。
【００３２】
記録部１５がデータを供給している状態（ステップＳ２０７）では、また、制御部３４は、一時記録終了の情報が入力された否かを監視する（ステップＳ２０９）。一時記録終了の情報が入力された場合（ステップＳ２０９；Ｙ）には、データの再生のみが行われるようになる。この場合、制御部３４（具体的には再生データ消去指示手段）は、再生したデータを再生直後に記録部１５から消去する指示を記録部１５に与え、記録部１５は、この指示に基づいて上記データを所定の場所へ供給し、供給した直後に記録部１５から消去する（ステップＳ２１０）。すなわち、入力ＣＧＭＳデータがコピー許可及びコピー不許可のどちらの情報を持っているかに関わらず、記録部１５に一時記録されたデータは、データの再生直後に記録部１５から消去される。
【００３３】
一方、一時記録終了の情報が入力されていない場合（ステップＳ２０９；Ｎ）には、記録部１５からデータが供給され続ける（ステップＳ２０７）。
【００３４】
なお、第３図には示していないが、一時記録の終了時に再生が行われておらず、蓄積されたデータに未再生の部分が存在する場合は、制御部３４（具体的には一時記録データ消去指示手段）は、上記未再生部分を消去する指示を記録部１５に与え、記録部１５は、この指示に基づいてデータを消去する。すなわち、入力ＣＧＭＳデータがコピー許可及びコピー不許可のどちらの情報を持っているかに関わらず、データの一時記録終了時にデータの再生が行われていないと、記録部１５の未再生データは消去される。
【００３５】
上述したような永続記録モードで記録部１５に記録された映像データ及び音声データを読み出し再生する場合には、読み出し再生の指示がなされると、映像データ，音声データ及びＣＧＭＳデータが記録部１５からデータリンク部１４に供給される。これらのうち、音声データは、音声再生処理部２３において処理されたのち、音声ＤＡ変換部２４においてアナログ変換され、これにより、アナログ音声出力信号ＳＡｏｕｔが生成される。一方、映像データは、映像再生処理部１６において出力用映像信号とされ、コピー制御データ付加部１７に供給される。ＣＧＭＳデータは、また、制御部３４にも供給され、ＣＧＭＳデータからマクロビジョン信号の情報が復元され、復元されたマクロビジョン信号の情報はコピー制御データ付加部１７に伝送される。コピー制御データ付加部１７では、映像データにマクロビジョン信号の情報が付加され、映像データ，ＣＧＭＳデータ及びマクロビジョン信号の情報は映像ＤＡ変換部１８に供給される。映像ＤＡ変換部１８において、映像データがアナログ変換され、これにより、ＣＧＭＳデータ及びマクロビジョン信号の情報が付加されたアナログ映像出力信号ＳＶｏｕｔが生成され、上述したアナログ音声出力信号ＳＡｏｕｔと共に処理部１０から出力される。
【００３６】
また、入力アナログ映像信号ＳＶｉｎが直接再生されるモードの場合には、制御部３４のＣＧＭＳデータに基づいて、データリンク部１４のデータを映像再生処理部１６又は音声再生処理部２３に出力するようデータリンク部１４に命令する。命令が伝送されると、ＣＧＭＳデータがデータリンク部１４に供給され、上記命令に応答して、映像データ及びＣＧＭＳ情報，音声データがデータリンク部１４から映像再生処理部１６又は音声再生処理部２３にそれぞれ出力される。これ以後の動作は、上述した読み出し再生モードの場合と同様である。
【００３７】
このように本実施の形態によれば、コピー制御情報としてコピー不許可の情報が入力され、記録再生モード情報として永続記録モードの情報が入力された場合に、当該入力映像信号ＳＶｉｎに関する装置の動作を終了させるか、当該入力映像信号ＳＶｉｎを永続記録モードから一時記録モードに移行して記録するかを判断し、一時記録モードに移行すると判断された場合には、一時記録モードでの入力映像信号ＳＶｉｎの記録を指示するようにしたので、処理部１０に入力される映像音声信号がコピー不許可の情報を持つコピー制御情報及び永続記録モードを指定する情報を伴う場合に、永続記録を禁止することができ、かつ一時記録を行うことが可能である。また、ユーザの利用の自由度を高めることができる。
【００３８】
更に、永続記録モードから一時記録モードに移行し、記録部１５へのデータの一時記録を開始した場合、一時記録の終了の前に記録部に一時記録されたデータの再生の開始が指示されると、再生されたデータを再生直後に記録部から消去し、一時記録の終了の前に再生が開始されなかった場合及び一時記録の終了時にデータの再生が行われていない場合には、記録部１５に一時記録された未再生のデータを消去するようにしたので、コピー不許可の情報を持つコピー制御情報が付加されたアナログ映像音声信号ＳＡＶｉｎが入力された場合であっても、記録部１５に一時記録されたデータがコピーされることなく、時間差再生が行うことができる。よって、処理部１０に入力されるアナログ映像音声信号にコピー不許可の情報が付加されている場合に、「コピー不許可」という番組供給者の意図を反映し、かつ上記時間差再生を行うことができる。
【００３９】
なお、上記実施の形態では、記録部１５が再生データ消去手段及び一時記録データ消去手段を有し、制御部３４が再生データ消去指示手段及び一時記録データ消去指示手段を有する場合について説明したが、これら各手段は必ずしも設けられていなくてもよい。
【００４０】
また、上記実施の形態では、アナログ映像データが入力される場合について説明したが、本発明はデジタル映像データが入力される場合においても適用可能であり、その場合であっても本発明の効果は得られる。
【００４１】
更に、上記実施の形態では、入力データの処理をデータ記録再生装置として説明したが、このデータ処理はソフトウェアとして構成するようにしてもよい。例えば、本発明のデータ処理プログラムをＲＯＭ（Read Only Memory）に格納し、そのプログラムにしたがってＣＰＵ（Central Processing Unit）の指示により動作させるように構成しても良い。また、このプログラムをコンピュータで読み取り可能な記憶媒体に格納し、この記憶媒体のデータ処理プログラムをコンピュータのＲＡＭ（Random Access Memory）に記録して、データ処理プログラムにしたがって動作させるようにしても良い。このような場合においても、上記実施の形態と同様の作用、効果を呈する。
【００４２】
更に、上記実施の形態では、入力映像信号にＣＧＭＳデータとマクロビジョン信号とが付加され、これらをＣＧＭＳデコーダ及びマクロビジョン検出部において処理する場合について説明したが、入力映像信号に付加される付加情報はこれらのうちのいずれか一方であってもよく、これら以外の付加情報であってもよい。
【００４３】
更に、上記記録部１５に複数の記録媒体が配設されていてもよく、これは、ユーザが同一時間帯に放送されるテレビ放送のうち３つ以上の番組に興味がある場合等に有効である。
【００４４】
（応用例）
ユーザが、第１の番組をリアルタイムで視聴し（直接再生モード）、第２の番組を永続記録モードで第１の記録媒体に記録して番組放送時よりも後の時刻に視聴すると仮定する。このとき、第２の番組がコピー不許可である番組であると、永続記録不可能であることが上記ＯＳＤ表示などにより装置からユーザに通知される。その場合、ユーザは、永続記録モードから一時記録モードに移行して第２の番組を記録し、番組放送の終了時よりもわずかに前の時刻から視聴することができる。
【００４５】
以上の説明に基づき、本発明の種々の態様や変形例を実施可能であることは明らかである。従って、以下のクレームの均等の範囲において、上記詳細な説明における態様以外の態様で本発明を実施することが可能である。
【００４６】
産業上の利用の可能性
本発明は、ＨＤＤのようなデジタル記録が可能な記録媒体を備えたテレビ受像機等において用いることが可能である。
【図面の簡単な説明】
【００４７】
【図１】本発明の一実施の形態に係るデータ記録再生装置の処理部の機能構成を表すブロック図である。
【図２】第１図に示したデータ記録再生装置の動作を説明するための流れ図である。
【図３】第１図に示したデータ記録再生装置の動作を説明するための他の流れ図である。
【図１】
2006523060.tif 000003
【図２】
2006523060.tif 000004
【図３】
2006523060.tif 000005
【国際調査報告】
2006523060.tif 000006
2006523060.tif 000007
2006523060.tif 000008